(57)【要約】      （修正有）【課題】起動直後の流量及び圧力の急激な変動を抑制できる水処理装置の提供。【解決手段】水を浄化する浄化手段１１，１２と、浄化ラインＬ２〜Ｌ５と、バイパスラインＬ１と、浄化弁Ｖ２，Ｖ３と、バイパス弁Ｖ１と、調整弁ＦＣＶ１と、制御手段１５とを備え、制御手段１５は水処理の開始後、浄化弁Ｖ２，Ｖ３を閉じた状態でバイパス弁Ｖ１を開く制御と、調整弁ＦＣＶ１の開度を小さくする制御と、浄化弁Ｖ２，Ｖ３を開く制御と、バイパス弁Ｖ１を閉じる制御と、調整弁ＦＣＶ１の開度を段階的に上げる制御を順次行い起動時の流量、圧力の急激な変動を抑制する。【選択図】図１
2019171279.tif 000002
【特許請求の範囲】
【請求項１】
水を浄化処理する水処理装置であって、
水を浄化する浄化手段と、浄化ラインと、バイパスラインと、浄化弁と、バイパス弁と、調整弁と、制御手段とを備えており、
前記浄化ラインは、前記化手段を通るラインであり、
前記バイパスラインは、前記浄化手段をバイパスするラインであり、
前記浄化弁は、前記浄化ラインへの水の流通を切り替える弁であり、
前記バイパス弁は、前記バイパスラインへの水の流通を切り替える弁であり、
前記調整弁は、開度調整が可能とされ且つ前記浄化ラインと前記バイパスラインの分岐位置よりも上流側に配置される弁であり、
前記制御手段は、水処理の開始後、前記浄化弁を閉じた状態で前記バイパス弁を開く制御と、前記調整弁の開度を小さくする制御と、前記浄化弁を開く制御と、前記バイパス弁を閉じる制御と、前記調整弁の開度を段階的に上げる制御とを順次行う、水処理装置。
【請求項２】
請求項１に記載の水処理装置であって、
前記制御手段による前記調整弁の開度を小さくする制御は、前記調整弁を最小開度とする制御である、水処理装置。
【発明の詳細な説明】
【技術分野】
【０００１】
本発明は、水を浄化処理する水処理装置に関する。
【背景技術】
【０００２】
タンカー等の船舶は、積み荷の原油等を降ろした後、再度目的地に向けて航行する際、航行中の船舶のバランスを取るため、通常、バラスト水と呼ばれる水をバラストタンク内に貯留する。このような船舶には、バラスト水の注排水による生態系の破壊を防ぐため、バラスト水を浄化処理する水処理装置（バラスト水処理装置）が設けられている（特許文献１参照）。
【０００３】
例えば、特許文献１には、流量調整が可能な弁（流量調整弁）を備えたバラスト水処理装置が記載されている。
【先行技術文献】
【特許文献】
【０００４】
【特許文献１】特開２０１４−２２７０６３号公報
【発明の概要】
【発明が解決しようとする課題】
【０００５】
しかしながら、特許文献１に記載のような構成の場合、バラスト水処理装置の起動直後、浄化手段に処理対象のバラスト水が急激に流入し、流入衝撃によって浄化手段に悪影響が生じるおそれがあった。
【０００６】
なお、このような流入衝撃によって生じる問題は、海水を処理するバラスト水処理装置に限らず、河川、湖沼、池、工業水等の水を処理する水処理装置全般に生じるものである。
【０００７】
本発明はこのような事情に鑑みてなされたものであり、起動直後の流量及び圧力の急激な変動を抑制し、浄化手段が損傷することを防止することの可能な水処理装置を提供することを目的とする。
【課題を解決するための手段】
【０００８】
本発明によれば、水を浄化処理する水処理装置であって、水を浄化する浄化手段と、浄化ラインと、バイパスラインと、浄化弁と、バイパス弁と、調整弁と、制御手段とを備えており、前記浄化ラインは、前記浄化手段を通るラインであり、前記バイパスラインは、前記浄化手段をバイパスするラインであり、
前記浄化弁は、前記浄化ラインへの水の流通を切り替える弁であり、前記バイパス弁は、前記バイパスラインへの水の流通を切り替える弁であり、前記調整弁は、開度調整が可能とされ且つ前記浄化ラインと前記バイパスラインの分岐位置よりも上流側に配置される弁であり、前記制御手段は、水処理の開始後、前記浄化弁を閉じた状態で前記バイパス弁を開く制御と、前記調整弁の開度を小さくする制御と、前記浄化弁を開く制御と、前記バイパス弁を閉じる制御と、前記調整弁の開度を段階的に上げる制御とを順次行う、水処理装置が提供される。
【０００９】
このような構成によれば、制御手段が、流量調整弁を最小開度とし、浄化弁を開くとともにバイパス弁を閉じてから、流量調整弁の開度を段階的に上げる制御を行うため、浄化ラインに水が急激に流入して、浄化手段に悪影響が生じることを防止することができる。
【００１０】
好ましくは、前記制御手段による前記調整弁の開度を小さくする制御は、前記調整弁を最小開度とする制御である。
【図面の簡単な説明】
【００１１】
【図１】本発明の実施形態に係る水処理装置１０を船舶のバラスト装置に導入した様子を示す概略図である。
【図２】図１の水処理装置１０において、濾過装置１１及び紫外線リアクタ１２をバイパスさせた際の流路を示す図である。
【図３】図１の水処理装置１０において、濾過装置１１及び紫外線リアクタ１２を流通させてバラスト水を浄化処理する際の流路を示す図である。
【図４】図１の水処理装置１０を起動させる起動モードＭ１を説明するフローチャートである。
【図５】図１の水処理装置１０において、濾過装置１１のみをバイパスさせた際の流路を示す図である。
【発明を実施するための形態】
【００１２】
以下、本発明の実施形態について説明する。以下に示す実施形態中で示した各種特徴事項は、互いに組み合わせ可能である。また、各特徴について独立して発明が成立する。
【００１３】
１．バラスト装置の構成
図１は、本発明の実施形態に係る水処理装置（バラスト水処理装置）１０を船舶のバラスト装置に導入した様子を示す概略図である。バラスト装置は、海水等の船外の水をシーチェストＳＣ１から船内に取り込んでバラストタンク２に注水を行うバラスト動作と、バラストタンク２に貯留されたバラスト水を船外排出口ＳＣ２から排水するデバラスト動作とを行うものである。図１に示すように、本実施形態のバラスト装置は主に、船内を流通するバラスト水を圧送するポンプ１（バラストポンプ）と、水処理装置１０と、バラストタンク２とを備える。以下、水処理装置１０の構成を中心に説明する。
【００１４】
なお、本明細書における「バラスト水」について、バラストタンク２に導入（流入）される前又はバラストタンク２から排出（流出）された後に拘わらず、船内に取り込まれた水を全て「バラスト水」と表現する。また、船内に取り込むバラスト水には、海水、淡水、汽水等が含まれるものとする。
【００１５】
２．水処理装置１０の構成
水処理装置１０は、船内に取り込むバラスト水及び船内から排出するバラスト水を処理してバラスト水中に含まれる微生物・異物の含有量を低減するために導入されるものである。水処理装置１０は、図１に示すように、ポンプ１とバラストタンク２（あるいは船外排出口ＳＣ２）との間に設けられる。ここで、水処理装置１０において、ポンプ１側の接続部を上流側接続部Ｐ１、バラストタンク２側の接続部を下流側接続部Ｐ２とする。
【００１６】
本実施形態の水処理装置１０は、フィルタによりバラスト水を濾過処理する濾過装置１１と、バラスト水に紫外線を照射して微生物を殺菌処理する紫外線照射手段としての紫外線リアクタ１２と、バラスト水の流量を計測する流量計１３と、バラスト水の水圧を計測する圧力計１４と、水処理装置１０内を流通するバラスト水の流通を制御する制御手段１５とを備える。本実施形態の濾過装置１１は、濾過処理中のフィルタの洗浄（逆洗浄）のため、フィルタの一次側に設けられ且つフィルタに向かって開口し、洗浄汚水を吸引して船外へ排出する排出管１６を備えている。排出管１６には、逆洗弁１７が設けられている。なお、濾過装置１１と紫外線リアクタ１２とをそれぞれ浄化手段とも称する。本実施形態において、濾過装置１１と紫外線リアクタ１２には既知の構成が用いられる。またこの水処理装置１０は、ポンプ１とバラストタンク２（あるいは船外排出口ＳＣ２）との間に設けられる。
【００１７】
また、水処理装置１０は、各構成要素を接続してバラスト水を流通させる複数のラインである第１ラインＬ１〜第５ラインＬ５を備える。「ライン」とは、流路、経路、管路等の流体の流通が可能なラインの総称である。また、水処理装置１０は、開閉弁Ｖ１〜開閉弁Ｖ４及び、開度調整の可能な第１調整弁ＦＣＶ１（特許請求の範囲における調整弁）、第２調整弁ＦＣＶ２も備えている。なお、水処理装置１０の第１ラインＬ１について、一部の管路として船舶に既存のラインを用いてもよい。したがって、水処理装置１０において第１ラインＬ１は必須の構成ではない。また、第２ラインＬ２〜第５ラインＬ５について部分的に船舶に既存のラインを用いることも可能である。加えて、開閉弁Ｖ１〜開閉弁Ｖ４、第１調整弁ＦＣＶ１及び第２調整弁ＦＣＶ２の少なくとも１つとして、船舶に既存のラインに設けられた弁を用いることも可能である。
【００１８】
具体的には、図１に示すように、第１ラインＬ１は浄化手段（濾過装置１１及び紫外線リアクタ１２）をバイパスして上流側接続部Ｐ１と下流側接続部Ｐ２を接続するライン（バイパスライン）であり、バイパス弁としての開閉弁Ｖ１を有する。第２ラインＬ２は第１ラインＬ１と濾過装置１１とを接続するラインであり、開閉弁Ｖ２を有する。第３ラインＬ３は、濾過装置１１と紫外線リアクタ１２とを接続するラインであり、開閉弁Ｖ３を有する。ここで、開閉弁Ｖ２と開閉弁Ｖ３とを合わせて浄化弁とも呼ぶ。また、第４ラインＬ４は、一端が第１ラインＬ１の第２ラインＬ２との接続位置よりも下流側の位置であって開閉弁Ｖ１よりは上流側の位置に接続され、他端が第３ラインＬ３の開閉弁Ｖ３よりも下流側の位置に接続される。第４ラインＬ４は開閉弁Ｖ４を有する。第５ラインＬ５は、一端が紫外線リアクタ１２に接続され、他端が第１ラインＬ１の開閉弁Ｖ１よりも下流側の位置に接続される。なお、本実施形態において、流量計１３は第５ラインＬ５に設置され、圧力計１４は第１ラインＬ１の第４ラインＬ４との接続位置よりも上流側の位置に設置される。また、図３に示す、第１調整弁ＦＣＶ１、濾過装置１１、紫外線リアクタ１２及び第２調整弁ＦＣＶ２を流通するライン、すなわち第１ラインＬ１の一部及び第２ラインＬ２、第３ラインＬ３、第５ラインＬ５を「浄化ライン」とも呼ぶ。本実施形態の構成では、浄化弁の開閉により浄化ラインへの水の流通が切り替えられるようになっている。
【００１９】
加えて、本実施形態の水処理装置１０は、第１ラインＬ１の第２ラインＬ２との接続位置、すなわち浄化ライン（第２ラインＬ２〜第５ラインＬ５）とバイパスライン（第１ラインＬ１）の分岐位置よりも上流側の位置に開度調整可能な第１調整弁ＦＣＶ１が設けられ、第５ラインＬ５の流量計１３よりも下流側の位置に開度調整可能な第２調整弁ＦＣＶ２が設けられている。なお、本明細書において、「調整弁」と呼ぶ場合は、開状態と閉状態の２つの状態しか取ることのできない開閉弁は除かれるものとする。
【００２０】
制御手段１５は、上述した開閉弁Ｖ１〜開閉弁Ｖ４の開閉を制御することにより、水処理装置１０内を流通するバラスト水の流通を制御する。また、制御手段１５は、浄化手段（濾過装置１１及び紫外線リアクタ１２）を流れるバラスト水の流量を調整するため第１調整弁ＦＣＶ１及び第２調整弁ＦＣＶ２の開度を調整する制御も行う。
【００２１】
３．水処理装置１０の動作
次に、以上のように構成された水処理装置１０の動作について説明する。なお、以下の動作は制御手段１５の制御により行われる。
【００２２】
３．１  バイパス動作
ポンプ１の駆動直後やバラスト水の浄化処理が必要ない場合は、制御手段１５は開閉弁Ｖ１及び第１調整弁ＦＣＶ１を開きその他の開閉弁を閉じることでバラスト水が第１ラインＬ１（バイパスライン）を流通するようにし、濾過装置１１及び紫外線リアクタ１２をバイパスさせる（図２参照）。
【００２３】
３．２  浄化動作
水処理装置１０によりバラスト水を浄化する場合は、制御手段１５は開閉弁Ｖ１，Ｖ４を閉じ、開閉弁Ｖ２，Ｖ３を開くとともに、第１調整弁ＦＣＶ１及び第２調整弁ＦＣＶ２を所定の開度にしてバラスト水が濾過装置１１及び紫外線リアクタ１２（浄化手段）を流通するようにする（図３参照）。この際、制御手段１５は、これら濾過装置１１及び紫外線リアクタ１２の起動命令も出力する。バラスト水は、濾過装置１１及び紫外線リアクタ１２を流通することで浄化される。なお、バラスト装置の開閉弁Ｖ５を閉じて開閉弁Ｖ６を開いた場合、浄化されたバラスト水はバラストタンク２に貯水され、開閉弁Ｖ５を開いて開閉弁Ｖ６を閉じた場合、浄化されたバラスト水は船外へ排出される。
【００２４】
ここで、制御手段１５は、第１調整弁ＦＣＶ１と第２調整弁ＦＣＶ２の開度をそれぞれ制御することにより、浄化処理を行うバラスト水の流量、すなわち浄化手段を流通するバラスト水の流量の制御と、浄化手段（特に濾過装置１１）における圧力の制御も行う。流通するバラスト水の流量は流量計１３により計測され、圧力は圧力計１４により計測される。本実施形態において、制御手段１５による第１調整弁ＦＣＶ１と第２調整弁ＦＣＶ２の制御には、起動モードＭ１、及び通常モードＭ２の２つのモードがある。以下に、バラスト水の流量制御及び圧力制御のこれら２つのモードについて具体的に説明する。
【００２５】
＜起動モードＭ１＞
起動モードＭ１は、水処理装置１０が停止し、バラスト水が流通していない状態から、水処理装置１０を起動させ、水処理を開始する際のモードである。以下、図４のフローチャートを用いて、起動モードＭ１の動作を説明する。
【００２６】
まず、水処理装置１０が起動し、起動モードＭ１が開始されると、制御手段１５は、ステップＳ１において開閉弁Ｖ１を開く。この際、開閉弁Ｖ２，Ｖ３，Ｖ４及び第２調整弁ＦＣＶ２は閉じられている。次に、ポンプ１が起動された後、ステップＳ２において、第１調整弁ＦＣＶ１を最小開度で開く。このとき、バラスト水は第１ラインＬ１を流通する。水処理装置１０を流通したバラスト水は、開閉弁Ｖ５を開き、開閉弁Ｖ６を閉じておくことで、船外へ排出される。
【００２７】
次に、ステップＳ３において、制御手段１５は開閉弁Ｖ２，Ｖ３（バラスト弁）を開く。これにより、バラスト水は第１ラインＬ１と、第２ラインＬ２，第３ラインＬ３，第４ラインＬ４に分岐して流通することになる。ここで、第２調整弁ＦＣＶ２の開度は任意であるが、濾過装置１１及び紫外線リアクタ１２に定格流量以上のバラスト水が流れないよう調整される。なお、ステップＳ３においては、濾過装置１１の排出管１６に設けられた逆洗弁１７も開く。そのため、第２ラインＬ２を流通したバラスト水の一部は排出管１６を通って船外に排出される。
【００２８】
次に、ステップＳ４において、制御手段１５は開閉弁Ｖ１を閉じる。これにより、バラスト水は全て濾過装置１１及び紫外線リアクタ１２を流通するようになる。そして最後に、ステップＳ５において、制御手段１５は最小開度であった第１調整弁ＦＣＶ１の開度を段階的に上げてゆく。そして、ある程度第１調整弁ＦＣＶ１の開度が上がったところで、起動モードＭ１を終了し、通常モードＭ２に移行する。
【００２９】
本実施形態の水処理装置１０は、制御手段１５が以上のような起動モードＭ１を有しており、ステップＳ５において第１調整弁ＦＣＶ１を段階的に開く制御を行うよう構成されている。そのため、水処理装置１０の起動時のバラスト水流量及び圧力の急激な変動が抑制される。したがって、浄化手段（濾過装置１１及び紫外線リアクタ１２）にバラスト水を流通させる際に、浄化手段に処理対象のバラスト水が急激に流入し、流入衝撃によって浄化手段、特に濾過装置１１のフィルタ等が損傷してしまうことを防止することが可能となっている。
【００３０】
＜通常モードＭ２＞
通常モードＭ２は、浄化手段（濾過装置１１及び紫外線リアクタ１２）に定格流量、すなわち浄化処理可能で且つ効率的な流量を流通させてバラスト水を浄化処理させるモードである。具体的には、流通するバラスト水の水質が良い場合等、濾過装置１１及び紫外線リアクタ１２による浄化処理可能量が多い場合はバラスト水の流量を増加させる。また、濾過装置の処理能力よりも紫外線リアクタ１２の処理能力が多い場合は、紫外線リアクタ１２の出力を落とす。一方バラスト水の水質が悪い場合等、濾過装置１１及び紫外線リアクタ１２による浄化処理可能量が少ない場合は流量を低減する。なお、流通させるバラスト水の流量は、濾過装置１１が濾過処理可能な定格流量と、紫外線リアクタ１２が微生物を殺滅処理できる定格流量のうち、小さいほうの定格流量に設定することが好ましい。これにより、濾過装置１１及び紫外線リアクタ１２により適切に処理されたバラスト水を最短時間で貯留または排出することができる。
【００３１】
また、通常モードＭ２において、制御手段１５は、流量をほぼ一定に保ちつつ、圧力の変動も一定の範囲内に抑えるよう制御する。つまり、流量を下限値Ｑｍｉｎと上限値Ｑｍａｘの間で維持しつつ、圧力も下限値Ｐｍｉｎと上限値Ｐｍａｘの間で維持する。具体的には、制御手段１５は、第２調整弁ＦＣＶ２の開閉によりバラスト水の流量を制御し、第１調整弁ＦＣＶ１の開閉により圧力を制御する。
【００３２】
より具体的には、制御手段１５は、流量計１３により計測されるバラスト水の流量が下限値を下回っている場合は、第２調整弁ＦＣＶ２の開度を上げ、バラスト水の流量が上限値を超えている場合は、第２調整弁ＦＣＶ２の開度を下げる。ここで、水処理装置１０を流通するバラスト水は、第２調整弁ＦＣＶ２の開度を上げると増加し、第２調整弁ＦＣＶ２の開度を下げると減少する。また、制御手段１５は、圧力計により計測される圧力が下限値を下回っている場合は、第１調整弁ＦＣＶ１の開度を上げ、圧力が上限値を上回っている場合は、第１調整弁ＦＣＶ１の開度を下げる。
【００３３】
なお、制御手段１５は、第１調整弁ＦＣＶ１と第２調整弁ＦＣＶ２を同時には動作させないようにしている。これは、調整弁の開閉動作直後は圧力及び流量がしばらく変動するので、その変動値をもとに他方の調整弁を動作させてしまうと制御が困難になってしまうからである。
【００３４】
通常モードＭ２では、制御手段１５が上記のような制御を行うことで、浄化手段に所望の流量のバラスト水を処理させつつ、圧力の変動幅も小さくなるようになっている。したがって、急激な圧力変動（特に高圧になること）が抑制され、各浄化手段、特に濾過装置１１のフィルタ等に悪影響が生じることが防止されている。また、通常モードＭ２において、濾過装置１１はフィルタの洗浄（逆洗浄）動作も行っているが、逆洗浄のための洗浄水には流通するバラスト水を用いている。そのため、流通するバラスト水の圧力が低下しすぎると、洗浄水の水圧も不足して洗浄が不十分になるおそれがあった。しかしながら、本実施形態の水処理装置は、圧力の変動幅を抑え、バラスト水の圧力が低下することも抑制されているため、濾過装置１１の逆洗浄が不十分に成ることも防止されている。
【００３５】
なお、通常モードＭ２において制御手段１５は、第２調整弁ＦＣＶ２の１回の最大動作量（例えば、３秒毎に調整される）を、開度が小さいほど少なく、開度が大きいほど多くなるよう制御している。具体的には例えば、開度がＸ１以下のときは、最大動作量をＹ１とし、開度がＸ２（＞Ｘ１）〜Ｘ３（＞Ｘ２）のときは、最大動作量をＹ２（＞Ｙ１）とし、開度がＸ３以上のときは、最大動作量をＹ３（＞Ｙ２）とするというように設定する。これは、開度が小さい場合、開度が大きい場合よりも開度変化に応じた流量及び圧力の変動が大きくなるからである。このような制御により、開度が大きい場合には、最大動作量を多くして素早い圧力の調整を可能とし、開度が小さい場合には、最大動作量を小さくして急激な圧力変動を抑制している。
【００３６】
なお、上記の説明では、バラスト水を濾過装置１１及び紫外線リアクタ１２の両方に流通させて浄化する場合の例を説明した。しかしながら、例えばデバラスト動作時には、開閉弁Ｖ２，Ｖ３を閉じて開閉弁Ｖ４を開くことで濾過装置１１をバイパスし、紫外線リアクタ１２の処理のみを行うことも可能である（図５参照）。この際も、制御手段１５により第１調整弁ＦＣＶ１及び第２調整弁ＦＣＶ２の制御を行うことが好ましい。デバラスト動作時には、図５に示す、第１調整弁ＦＣＶ１、紫外線リアクタ１２及び第２調整弁ＦＣＶ２を流通するライン、すなわち第１ラインＬ１の一部、第４ラインＬ４、第３ラインＬ３の一部及び第５ラインＬ５が「浄化ライン」となる。また、第４ラインＬ４に設けられた開閉弁Ｖ４が浄化弁とされる。なお、バラスト装置において、デバラスト動作時には、バラストタンク２に貯留されていたバラスト水は、開閉弁Ｖ７が開かれることにより第６ラインＬ６（デバラストライン）及びポンプ１を経由して水処理装置１０へ流入する。この際も、バラスト水が流通していない状態から水処理装置１０を起動させ、水処理を開始する際には、起動モードＭ１を動作させることで、浄化手段（この場合は紫外線リアクタ１２）に処理対象のバラスト水が急激に流入し、流入衝撃によって浄化手段が損傷してしまうことを防止することが可能となっている。
【００３７】
４．変形例
本発明は、以下の態様でも実施可能である。
【００３８】
・上記実施形態では、起動モードＭ１において、開閉弁Ｖ１を開いた後のステップＳ２において、制御手段１５は第１調整弁ＦＣＶ１を最小開度で開くよう制御していたが、第１調整弁ＦＣＶ１の開度は必ずしも最小開度とする必要はない。第１調整弁ＦＣＶ１の開度をある程度小さくする（例えば、２０％以下とする）だけでも、バラスト水が浄化ラインに急激に流入することが抑制され、流入衝撃によって浄化手段が損傷してしまうことを防止することが可能である。なお、ある程度小さくする開度としては、例えば３０％以下とする
・上記実施形態では、制御手段１５が第１調整弁ＦＣＶ１及び第２調整弁ＦＣＶ２をともに制御していたが、第２調整弁ＦＣＶ２を制御手段１５によっては制御しない構成、例えば手動で動作させる構成とすることも可能である。この場合、制御手段１５は第２調整弁ＦＣＶ２の開度を取得して第１調整弁ＦＣＶ１の開度の制御を行うことになる。
・上記実施形態では、水処理装置１０は浄化手段として濾過装置１１及び紫外線リアクタ１２を備えていたが、濾過装置１１と紫外線リアクタ１２の一方のみを備えた構成や、他の浄化手段を用いた構成とすることも可能である。この場合であっても、上記起動モードＭ１を有していることで、浄化手段にバラスト水が急激に流入し、流入衝撃によって浄化手段が損傷してしまうことを防止することが可能となっている。
・上記実施形態では、紫外線リアクタ１２の下流側の第５ラインＬ５に、流量調整のための第２調整弁ＦＣＶ２を設けていたが、流量調整のための調整弁は、浄化手段を流通するバラスト水の流路上（すなわち、浄化ライン上）であれば、任意の場所に設けることができる。なお、この第２調整弁ＦＣＶ２を設けることのできる場所には、第１ラインＬ１の開閉弁Ｖ１よりも下流側の位置であって、第５ラインＬ５との合流位置よりも下流側の位置も含まれる。
・上記実施形態では、水処理装置１０をバラスト装置に適用した例を示したが、本発明の水処理装置１０は、バラスト装置以外にも、河川、湖沼、池、工業水等の様々な水を処理する水処理装置として用いることができる。
【符号の説明】
【００３９】
１        ：ポンプ
２        ：バラストタンク
１０      ：水処理装置
１１      ：濾過装置
１２      ：紫外線リアクタ
１３      ：流量計
１４      ：圧力計
１５      ：制御手段
１６      ：排出管
１７      ：逆洗弁
ＦＣＶ１  ：第１調整弁（調整弁）
ＦＣＶ２  ：第２調整弁
Ｌ１      ：第１ライン（バイパスライン）
Ｌ２      ：第２ライン（浄化ライン）
Ｌ３      ：第３ライン（浄化ライン）
Ｌ４      ：第４ライン（浄化ライン）
Ｌ５      ：第５ライン（浄化ライン）
Ｌ６      ：第６ライン
Ｍ１      ：起動モード
Ｍ２      ：通常モード
Ｐ１      ：上流側接続部
Ｐ２      ：下流側接続部
Ｓ１〜Ｓ５          ：ステップ
ＳＣ１    ：シーチェスト
ＳＣ２    ：船外排出口
Ｖ１      ：開閉弁（バイパス弁）
Ｖ２，Ｖ３：開閉弁（浄化弁）
Ｖ４：開閉弁（浄化弁）
Ｖ１，Ｖ５〜Ｖ７：開閉弁
【図１】
2019171279.tif 000003
【図２】
2019171279.tif 000004
【図３】
2019171279.tif 000005
【図４】
2019171279.tif 000006
【図５】
2019171279.tif 000007